(57)【要約】【課題】保守等の作業性を向上させたクレーン装置を提供する。【解決手段】横行フレーム１５に備えられた電動巻上機１６と、横行フレーム１５に取り付けられ、クレーンガーダー１０を移動する駆動輪１７と、駆動輪１７を駆動する横行電動機１９と、横行電動機１９を制動する横行ブレーキ装置２７と、横行ブレーキ装置２７を覆うカバー部材２８とを備えている。カバー部材２８は、筒状に形成されると共に、周方向に分割され横行電動機１９に固定される固定カバー２８ｂと可動カバー２８ａとを備えており、可動カバー２８ａは横行電動機１９から着脱可能であると共に、固定カバー２８ｂと重なる大きさの切欠き部３２を備えている。【選択図】  図１０
2019214454.tif 000002
【特許請求の範囲】
【請求項１】
横行フレームに備えられた電動巻上機と、前記横行フレームに取り付けられ、クレーンガーダーを移動する車輪と、前記車輪を駆動する横行電動機と、前記横行電動機を制動する横行ブレーキ装置と、前記横行ブレーキ装置を覆うカバー部材とを備えたクレーン装置において、
前記カバー部材は、筒状に形成されると共に、周方向に分割され前記横行電動機に固定される固定カバーと可動カバーとを備え、
前記可動カバーは前記横行電動機から着脱可能であると共に、前記固定カバーと重なる大きさの切欠き部を備えていることを特徴とするクレーン装置。
【請求項２】
請求項１において、
前記カバー部材は筒状の開放部にフランジを備え、前記フランジを前記横行電動機のカバー取付部に対向させて取り付けたことを特徴とするクレーン装置。
【請求項３】
請求項２において、
前記切欠き部は、前記横行ブレーキ装置の寸法より大きく形成されていることを特徴とするブレーキ装置。
【請求項４】
請求項３において、
前記切欠き部は前記可動カバーの引き抜き方向に対する前記横行ブレーキ装置の外周寸法より大きく形成されていることを特徴とするブレーキ装置。
【請求項５】
請求項１において、
前記横行電動機は、前記カバー部材が対向するように複数備えられていることを特徴とするクレーン装置。
【請求項６】
横行フレームに備えられた電動巻上機と、前記横行フレームに取り付けられ、クレーンガーダーを移動する車輪と、前記車輪を駆動する横行電動機と、前記横行電動機を制動する横行ブレーキ装置と、前記横行ブレーキ装置を覆うカバー部材とを備えたクレーン装置において、
前記カバー部材は、筒状に形成されると共に、周方向に分割され前記横行電動機に固定される固定カバーと可動カバーとを備え、
前記可動カバーは周方向に回転可能であると共に、前記固定カバーと重なる大きさの切欠き部を備えていることを特徴とするクレーン装置。
【請求項７】
請求項６において、
前記カバー部材は筒状の開放部にフランジを備え、前記フランジを前記横行電動機のカバー取付部に対向させ、
前記フランジには、円周方向に沿って長穴を形成したことを特徴とするクレーン装置。
【請求項８】
請求項７において、
前記長穴には固定手段を挿入し、
前記可動カバーは前記固定手段を緩めた状態において前記長穴に沿って回転可能であることを特徴するクレーン装置。
【発明の詳細な説明】
【技術分野】
【０００１】
本発明は、クレーン装置に関する。
【背景技術】
【０００２】
工場等の建屋内には、クレーン装置が設置されている。クレーン装置には重量物を持ち上げるための巻上機が備えられ、この巻上機は建屋の天井に沿って敷設されたレールに沿って走行する。クレーン装置には走行モータが備えられており、この走行モータを駆動することにより、レールに沿ってクレーン装置が移動する。このようなクレーン装置として、例えば特許文献１がある。
【先行技術文献】
【特許文献】
【０００３】
【特許文献１】特開平０９−３０１６７５号公報
【発明の概要】
【発明が解決しようとする課題】
【０００４】
走行モータにはレール上のクレーン装置の移動を制止させるために、ブレーキ装置が取り付けられている。ブレーキ装置は、定期的な点検、ブレーキ部品の交換等の保守作業が必要である。ブレーキ装置は、カバー部材で覆われているため、保守作業にあたっては、カバー部材を外して行う必要がある。工場等の建屋内に取り付けられる巻上機は高所位置にあるので、保守を行う作業員は高所での作業を強いられ、作業が煩わしいものであった。
【０００５】
また、工場等の建屋内には天井や壁があり、クレーン装置が天井や壁と近接しているような場合にはカバー部材が天井や壁と干渉してしまい、カバー部材の取り外し作業が困難であった。加えて、走行電動機が複数備えられている場合には、走行電動機同士が近接した位置に配置され、一つの走行電動機のカバー部材を外そうとすると、他の走行電動機に干渉してしまい、作業が煩わしいものであった。
【０００６】
本発明の目的は、上記課題を解決し、保守等の作業性を向上させたクレーン装置を提供することにある。
【課題を解決するための手段】
【０００７】
上記目的を達成するために本発明の特徴とするところは、横行フレームに備えられた電動巻上機と、前記横行フレームに取り付けられ、クレーンガーダーを移動する車輪と、前記車輪を駆動する横行電動機と、前記横行電動機を制動する横行ブレーキ装置と、前記横行ブレーキ装置を覆うカバー部材とを備えたクレーン装置において、前記カバー部材は、筒状に形成されると共に、周方向に分割され前記横行電動機に固定される固定カバーと可動カバーとを備え、前記可動カバーは前記横行電動機から着脱可能であると共に、前記固定カバーと重なる大きさの切欠き部を備えていることにある。
【０００８】
また、本発明の特徴とするところは、横行フレームに備えられた電動巻上機と、前記横行フレームに取り付けられ、クレーンガーダーを移動する車輪と、前記車輪を駆動する横行電動機と、前記横行電動機を制動する横行ブレーキ装置と、前記横行ブレーキ装置を覆うカバー部材とを備えたクレーン装置において、前記カバー部材は、筒状に形成されると共に、周方向に分割され前記横行電動機に固定される固定カバーと可動カバーとを備え、前記可動カバーは周方向に回転可能であると共に、前記固定カバーと重なる大きさの切欠き部を備えていることにある。
【発明の効果】
【０００９】
本発明によれば、保守等の作業性を向上させたクレーン装置を提供することができる。
【図面の簡単な説明】
【００１０】
【図１】本発明の実施例に係るクレーンシステムの全体斜視図である。
【図２】本発明の実施例に係るクレーン装置を回転軸方向に切断した断面図である。
【図３】図２における右側側面図である。
【図４】本発明の実施例に係る横行装置を回転軸方向に切断した断面図である。
【図５】本発明の実施例に係る横行電動機と横行ブレーキ装置の拡大断面図である。
【図６】本発明の実施例に係る横行ブレーキ装置を回転軸を横切る方向に切断した断面図である。
【図７】本発明の実施例に係る可動カバーを回転させた状態における横行電動機と横行ブレーキ装置の側面図である。
【図８】本発明の実施例に係る横行ブレーキ装置において回転軸を横切る方向に切断した断面図である。
【図９】本発明の実施例に係る可動カバーを上方向に移動させた状態を示す横行電動機と横行ブレーキ装置の側面図である。
【図１０】本発明の実施例に係る可動カバーを上方向に移動させた状態の横行ブレーキ装置において回転軸を横切る方向に切断した断面図である。
【発明を実施するための形態】
【００１１】
以下、本発明に係る巻上機の実施例を図面に基づいて説明する。本発明は以下の実施例に限定されることなく、本発明の技術的な概念の中で種々の変形例や応用例もその範囲に含むものである。
【００１２】
まず、図１に沿って、通称、電気ホイストと呼ぶ電動巻上機が備わるクレーンシステムの概要を述べる。図１は、本発明の実施例に係るクレーンシステムの全体斜視図である。
【００１３】
クレーンガーダー１０は、平行に置かれる走行レール１１に載置される。クレーンガーダー１０の両端に備わる走行部１２が走行レール１１に載置支持され、走行部１２に設けた車輪１３の回転でクレーンガーダー１０は運ばれ、走行レール１１の上を行き来する。車輪１３は走行電動機１４で駆動される。
【００１４】
クレーンガーダー１０は横行移動する横行フレーム１５を載置支持している。この横行フレーム１５に電動巻上機１６が備わる。横行フレーム１５に設けた車輪（駆動輪１７，従動輪１８）の回転で横行フレーム１５はクレーンガーダー１０の上を左右に移動する。駆動輪１７は横行電動機１９で駆動される。本実施例では、横行フレーム１５内に電動巻上機１６と横行フレーム１５が一つにまとまったユニットをクレーン装置と称する。
【００１５】
次に図２乃至図４を用いて、クレーン装置の構成について説明する。図２は本発明の実施例に係るクレーン装置を回転軸方向に切断した断面図、図３は図２における右側側面図、図４は本発明の実施例に係る横行装置を回転軸方向に切断した断面図である。
【００１６】
図２及び図３において、電動巻上機１６は、吊り荷の巻上げ及び巻下げを行うための駆動源となる巻上電動機２０と、吊り荷を吊るためのロープを巻きつけるためのドラム２１と、巻上電動機２０の回転を減速するための巻上減速部２２と、巻上電動機２０を制動する巻上ブレーキ装置２３を備えている。
【００１７】
巻上電動機２０の回転は巻上減速部２２を介してドラム２１に伝達され、ドラム２１が回転することで、ドラム２１に巻きつけられたロープが上下動し、吊り荷を上げ下げすることができる。ドラム２１に巻かれるロープには、荷を吊るロードブロック２４が取り付けられている。また、電動巻上機１６は吊り荷を水平に移動させる為に横行装置２５に取り付けられている。
【００１８】
図４に示すように横行装置２５は、電動巻上機１６の横行を行うための駆動源となる横行電動機１９と、横行電動機１９を支持する横行フレーム１５と、横行電動機１９の回転を減速するための横行減速部２６と、横行電動機１９を制動する横行ブレーキ装置２７を備えている。横行ブレーキ装置２７は横行電動機１９の回転軸方向に配置されている。横行電動機１９の回転軸は、駆動輪１７の回転軸方向と同方向になるように配置されている。横行ブレーキ装置２７は保護のためカバー部材２８が取付けられており、衝突や雨水の侵入を防止する構造となっている。また、横行電動機１９には、カバー部材２８を取付けるためのエンドブラケット２９（カバー取付部）が備えられている。横行電動機１９の回転力は横行減速部２６を介して駆動輪１７に伝達され、駆動輪１７と従動輪１８が回転することでクレーンガーダー１０上を移動し、電動巻上機１６を横行させることができる。本実施例の横行装置２５は、クレーンガーダー１０の方向に沿って左右に２つの横行電動機１９を備えているが、左右の何れか一方に横行電動機１９を設けるようにしても良い。横行電動機１９によって駆動される駆動輪１７はクレーンガーダー１０の方向に沿って左右に配置され、左右に配置された駆動輪１７同士は車軸３０で連結されている。
【００１９】
次に、横行ブレーキ装置２７に取付けられるカバー部材２８について図５及び図６を用いて説明する。図５は本発明の実施例に係る横行電動機と横行ブレーキ装置の拡大断面図、図６は本発明の実施例に係る横行ブレーキ装置において回転軸を横切る方向に切断した断面図である。
【００２０】
カバー部材２８は、横行電動機１９に取り付けられ、横行ブレーキ装置２７を覆っている。カバー部材２８は、横行ブレーキ装置２７を十分に覆うことのできる大きさで筒状に形成され、筒の開放部の取り付け面はフランジ３１を有している。カバー部材２８は周方向に複数分割（２分割）されており、円筒面矢印Ａ方向に四角形の切欠き部３２を有する可動カバー２８ａと、切欠き部３２に重なるような形状の固定カバー２８ｂで構成されている。換言すると、可動カバー２８ａの切欠き部３２は固定カバー２８ｂで覆われるような大きさで形成されている。この切欠き部３２は横行ブレーキ装置２７の寸法より大きく形成されている。特に切欠き部３２は可動カバー２８ａの引き抜き方向に対する横行ブレーキ装置２７の外周寸法より大きく形成されている。具体的には、切欠き部３２は横行ブレーキ装置２７の回転軸を横断する幅寸法Ｂ、回転軸方向長さＨよりも大きく、横行ブレーキ装置２７が通るのに十分な大きさを有している。本実施例において、カバー部材２８は可動カバー２８ａと固定カバー２８ｂに２分割されている。また、可動カバー２８ａは横行電動機１９から着脱可能となっている。
【００２１】
可動カバー２８ａは、可動カバー２８ａのフランジ３１ａを横行電動機１９のエンドブラケット２９ａと対向させ、横行電動機１９にねじ３３（固定手段）で固定されている。固定カバー２８ｂは、固定カバー２８ｂのフランジ３１ｂを横行電動機１９のエンドブラケット２９ｂと対向させ、横行電動機１９にねじ３４（固定手段）で固定されている。
【００２２】
可動カバー２８ａのフランジ３１ａには、円周方向に沿った複数の長穴３５が形成されている。長穴３５の径方向幅は、ねじ３３の頭部より小さく形成されている。ねじ３３は長穴３５に挿入されて締め付けられることにより、可動カバー２８ａを横行ブレーキ装置２７のエンドブラケット２９ａに固定している。可動カバー２８ａが固定状態にあるときは、ねじ３３は長穴端部３５ａの所に位置している。
【００２３】
エンドブラケット２９ａとフランジ３１ａの対向面にはシート状パッキン３６が設けられ、エンドブラケット２９ａとフランジ３１ａの隙間からカバー部材２８内に水が浸入するのを防止している。固定カバー２８ｂの端部には、Ｕ字状パッキン３７が設けられ、可動カバー２８ａとエンドブラケット２９との取付面のすき間からカバー部材２８に水が浸入するのを防止している。
【００２４】
さて、横行ブレーキ装置２７は、定期的な点検やブレーキ部品の交換等の保守作業が必要である。横行ブレーキ装置２７は、カバー部材２８で覆われているため、保守作業にあたっては、カバー部材２８を外して行う必要がある。工場等の建屋内に取り付けられる電動巻上機１６は高所位置にあるので、保守を行う作業員は高所での作業を強いられ、作業が煩わしいものであった。工場等の建屋内には天井や壁があり、電動巻上機１６が天井や壁と近接しているような場合にはカバー部材２８が天井や壁と干渉してしまい、カバー部材２８の取り外し作業が困難であった。加えて、本実施例のようにカバー部材２８が対向するように横行電動機１９が２台（複数）備えられている場合には、左右の横行電動機１９同士が近接した位置に配置され、一つの横行電動機１９のカバー部材２８を外そうとすると、他の横行電動機１９に干渉してしまい、作業が煩わしいものであった。
【００２５】
この課題を解決するための手段について図６〜図１０を用いて説明する。図７は本発明の実施例に係る可動カバーを回転させた状態における横行電動機と横行ブレーキ装置の側面図、図８は本発明の実施例に係る横行ブレーキ装置において回転軸を横切る方向に切断した断面図、図９は本発明の実施例に係る可動カバーを上方向に移動させた状態を示す横行電動機と横行ブレーキ装置の側面図、図１０は本発明の実施例に係る可動カバーを上方向に移動させた状態の横行ブレーキ装置において回転軸を横切る方向に切断した断面図である。
【００２６】
まず、保守点検が行われていない場合は、図６に示すように横行ブレーキ装置２７は、カバー部材２８によって覆われている。可動カバー２８ａが固定状態にあるときは、ねじ３３は長穴端部３５ａの所に位置している。この状態において、保守点検を行う作業者が横行ブレーキ装置２７の内部を確認する場合には、可動カバー２８ａを固定している３本のねじ３３を緩め、Ｒ方向（周方向）に回転させる。このとき、ねじ３３は取り外さない。保守点検を行う作業者は、可動カバー２８ａをエンドブラケット２９上を摺動するように長穴３５に沿って回転させ、ねじ３３が長穴端部３５ｂと接触する位置まで回転移動させる。ねじ３３が長穴端部３５ｂと接触した状態が図７及び図８となる。ねじ３３が長穴端部３５ｂと接触した状態においては、横行ブレーキ装置２７の一部が確認できるように、可動カバー２８ａと固定カバー２８ｂとの間に開口部３８が形成される。可動カバー２８ａと固定カバー２８ｂとの間に開口部３８が形成された状態において、保守作業者は開口部３８から横行ブレーキ装置２７の点検作業を実施する。
【００２７】
本実施例によれば、可動カバー２８ａを取り外すことなく、可動カバー２８ａを回転させるだけで保守作業に必要な開口部３８を確保することができ、電動巻上機１６は高所にあっても保守作業を容易に行うことができる。また、保守作業にあたり、建屋内の天井や壁、他の電動巻上機との干渉も抑制できるので、保守作業の作業性を向上することができる。
【００２８】
次に、ブレーキ部品の交換作業が発生した場合について説明する。部品の交換作業が発生した場合は、開口部３８のみの空間では交換作業が困難であり、カバー部材２８を取り外す必要がある。
【００２９】
可動カバー２８ａの取り外しにあたっては、まず、可動カバー２８ａを固定しているねじ３３を外し、可動カバー２８ａを固定カバー２８ｂと反対方向（上方向）に移動させる。可動カバー２８ａには切欠き部３２が形成されており、この切欠き部３２は横行ブレーキ装置２７の回転軸を横断する幅寸法Ｂ、回転軸方向長さＨよりも大きく形成されているので、可動カバー２８ａを上方向に移行した際にであっても横行ブレーキ装置２７に引っ掛かることなく通すことが可能である。また、可動カバー２８ａは円筒状に形成されているので、回転軸方向に移動させて取り外すことも可能である。
【００３０】
本実施例によれば、カバー部材２８を分割して構成し、可動カバー２８ａに横行ブレーキ装置２７を通す切欠き部３２を形成しているので、可動カバー２８ａを固定カバー２８ｂと反対方向（上方向）に移動させて取り外すことができ、部品交換等の保守作業の作業性を向上することができる。また、カバー部材２８は円筒状に形成されているので、回転軸方向に取り外すことも可能である。カバー部材２８の取り外しは、巻上電動機と壁や天井、あるいは他の巻上電動機との位置関係において適宜選択することができ、保守作業の作業性を向上することができる。
【００３１】
以上説明したように本実施例によれば、電動巻上機が天井や壁に近い状態に設置された状態、あるいは他の巻上電動機と近接し干渉し易い状況であっても容易にカバーを外すことができ、保守作業の作業性を向上することができる。
【００３２】
なお、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００３３】
１０…クレーンガーダー、１１…走行レール、１２…走行部、１３…車輪、１４…走行電動機、１５…横行フレーム、１６…電動巻上機、１７…駆動輪、１８…従動輪、１９…横行電動機、２０…巻上電動機、２１…ドラム、２２…巻上減速部、２３…巻上ブレーキ装置、２４…ロードブロック、２５…横行装置、２６…横行減速部、２７…横行ブレーキ装置、２８…カバー部材、２８ａ…可動カバー、２８ｂ…固定カバー、２９…エンドブラケット、２９ａ…エンドブラケット、２９ｂ…エンドブラケット、３０…車軸、３１…フランジ、３１ａ…フランジ、３１ｂ…フランジ、３２…切欠き部、３３…ねじ、３４…ねじ、３５…長穴、３６…シート状パッキン、３７…Ｕ字状パッキン、３８…開口部
【図１】
2019214454.tif 000003
【図２】
2019214454.tif 000004
【図３】
2019214454.tif 000005
【図４】
2019214454.tif 000006
【図５】
2019214454.tif 000007
【図６】
2019214454.tif 000008
【図７】
2019214454.tif 000009
【図８】
2019214454.tif 000010
【図９】
2019214454.tif 000011
【図１０】
2019214454.tif 000012